(57)【特許請求の範囲】
【請求項１】
一端の吸い込み口から循環水を吸い込んで他端の吐出口から吐出する循環ポンプを備えた循環水路の途中を第１分岐路と第２分岐路とに分岐し、第１分岐路に電解槽を設け、第２分岐路に塩溶解槽を設け、第２分岐路の下流側の端部を電解槽に連通接続し、第１分岐路の下流側を循環水路側に連通し、塩溶解槽から電解槽に食塩水を供給する際に開となり、塩溶解槽から供給された食塩水を電解槽内で電解して生成された塩素水を吐出口から吐出する際には閉となる弁を第２分岐路の塩溶解槽よりも上流側に設け、上記弁が開状態において循環ポンプのオン、オフを小刻みに繰り返して塩溶解槽から電解槽に食塩水を供給する際、開となった弁を経て第２分岐路から塩溶解槽への水の流入を可とし且つ塩溶解槽から開となった弁を経て第２分岐路に水が逆流するのを防止するための逆止弁を第２分岐路の塩溶解槽への連通口に配置して成ることを特徴とする殺菌装置。
【請求項２】
外筒に食塩筒を挿入して内装することで塩溶解槽を構成し、食塩筒の底面部にばね材で下方に弾性付勢された弁体よりなる逆止弁を設け、外筒から食塩筒を取り外した状態で外筒に設けた連通口を開とすると共に外筒内に食塩筒をセットした状態でばね材のばね力で弁体により連通口を閉じるように設定し、上記塩溶解槽よりも上流側に設けた弁が開状態において循環ポンプのオンにより加圧された水によりばね材に抗して弁体を押し上げて連通口を開とし、循環ポンプのオフによりばね材のばね力で弁体により連通口を閉じるように設定して成ることを特徴とする請求項１記載の殺菌装置。
【請求項３】
浴槽水を循環水路に循環させる循環ポンプと、浴槽水をろ過するろ過槽とを備え、循環水路のろ過槽よりも上流側にバイパス路を設け、バイパス路の途中を第１分岐路と第２分岐路とに分岐し、第１分岐路に電解槽を設け、第２分岐路に塩溶解槽を設け、第２分岐路の下流側の端部を電解槽に連通接続し、第１分岐路の下流側を循環水路のろ過槽よりも上流側に連通接続し、塩溶解槽から電解槽に食塩水を供給する際に開となり且つ塩溶解槽から供給された食塩水を電解槽内で電解して生成された塩素水をろ過槽を経て吐出口から吐出する際には閉となる弁を第２分岐路の塩溶解槽よりも上流側に設け、上記弁が開状態において循環ポンプのオン、オフを小刻みに繰り返して塩溶解槽から電解槽に食塩水を供給する際、開となった弁を経て第２分岐路から塩溶解槽への水の流入を可とし且つ塩溶解槽から開となった弁を経て第２分岐路に水が逆流するのを防止するための逆止弁を第２分岐路の塩溶解槽への連通口に配置して成ることを特徴とする殺菌装置を備えた浴槽水循環浄化装置。
【請求項４】
外筒に食塩筒を挿入して内装することで塩溶解槽を構成し、食塩筒の底面部にばね材で下方に弾性付勢された弁体よりなる逆止弁を設け、外筒から食塩筒を取り外した状態で外筒に設けた連通口を開とすると共に外筒内に食塩筒をセットした状態でばね材のばね力で弁体により連通口を閉じるように設定し、上記塩溶解槽よりも上流側に設けた弁が開状態において循環ポンプのオンにより加圧された水によりばね材に抗して弁体を押し上げて連通口を開とし、循環ポンプのオフによりばね材のばね力で弁体により連通口を閉じるように設定して成ることを特徴とする請求項３記載の殺菌装置を備えた浴槽水循環浄化装置。
【発明の詳細な説明】
【０００１】
【発明の属する技術分野】
本発明は、循環水を殺菌するための殺菌装置及び殺菌装置を備えた浴槽水循環浄化装置に関するものである。
【０００２】
【従来の技術】
近年、家庭用の風呂において２４時間の入浴を可能としたものが提供されている。この場合、浴槽１０内の浴槽水を長期間使用可能とするために浴槽水を常時もしくは周期的に浄化・殺菌する必要がある。このために、図８に示すように、浴槽水を循環水路１に循環させる循環ポンプ２と、浴槽水をろ過するろ過槽３とを備え、循環水路１中にバイパス路４を設け、バイパス路４中に塩溶解槽１９と、その下流側に一対の電極５を内蔵した電解槽６とを設け、バイパス路４の下流側をろ過槽の１次側に接続し、電解槽６の上流側に弁７を設けると共に塩溶解槽１９の上流側に弁１８を設けた浴槽水循環浄化装置が提案されている。
【０００３】
上記従来例において、塩素の生成は、まず電解槽６に塩溶解槽１９から食塩水を供給する。この食塩水の供給に当たっては、塩溶解槽１９の上流の弁１８を開けた後、循環ポンプ２のオン、オフを小刻みに繰り返しながら（つまり循環ポンプ２を寸動させながら）、電解槽６内に設けた一対の電極５間の電気伝導度を測定しつつ電解槽６内の塩濃度を測定し、目的とする塩濃度となると循環ポンプ２を停止すると共に弁１８を閉じる。次に、電解槽６の電極５間に電圧を印加して、遊離塩素を生成する。次に、電解槽６の上流側の弁７を開き、電解槽６で生成した塩素水を浴槽水に供給して殺菌をするようになっている。
【０００４】
ところが、上記の従来例においては、塩溶解槽１９から電解槽６に食塩水を供給して電解槽６内を所定の塩濃度にするに当たり、弁１８を開にした状態で循環ポンプ２のオン、オフを小刻みに繰り返すので、上記循環ポンプ２のオンとオンの間のオフ時に塩溶解槽１９内の食塩水は水に比べて比重が大きいので、開となった弁１８を経て上流側に流出するという問題があり、食塩が無駄に消費されて、塩溶解槽１９内の食塩の消費が速くなってしまうという問題がある。
【０００５】
【発明が解決しようとする課題】
本発明は上記した従来例の問題点に鑑みて発明したものであって、その目的とするところは、塩溶解槽から電解槽に食塩水を供給するに当たって、循環ポンプのオン、オフを小刻みに繰り返す動作を行う際、循環ポンプがオフの時に塩溶解槽から上流側に食塩水が流出するのを防止し、塩溶解槽内の食塩の無駄な消費を無くすことができる殺菌装置及び殺菌装置を備えた浴槽水循環浄化装置を提供することを課題とするものである。
【０００６】
【課題を解決するための手段】
上記課題を解決するために本発明に係る殺菌装置は、一端の吸い込み口８から循環水を吸い込んで他端の吐出口９から吐出する循環ポンプ２を備えた循環水路１の途中を第１分岐路１６と第２分岐路１７とに分岐し、第１分岐路１６に電解槽６を設け、第２分岐路１７に塩溶解槽１９を設け、第２分岐路１７の下流側の端部を電解槽６に連通接続し、第１分岐路１６の下流側を循環水路１側に連通し、塩溶解槽１９から電解槽６に食塩水を供給する際に開となり、塩溶解槽１９から供給された食塩水を電解槽６内で電解して生成された塩素水を吐出口から吐出する際には閉となる弁１８を第２分岐路１７の塩溶解槽１９よりも上流側に設け、上記弁１８が開状態において循環ポンプ２のオン、オフを小刻みに繰り返して塩溶解槽１９から電解槽６に食塩水を供給する際、開となった弁１８を経て第２分岐路１７から塩溶解槽１９への水の流入を可とし且つ塩溶解槽１９から開となった弁１８を経て第２分岐路１７に水が逆流するのを防止するための逆止弁２５を第２分岐路１７の塩溶解槽１９への連通口３２に配置して成ることを特徴とするものである。このような構成とすることで、塩溶解槽１９から電解槽６に食塩水を供給して電解槽６内を所定の塩濃度にするに当たり、弁１８を開にした状態で循環ポンプ２のオン、オフを小刻みに繰り返しても、上記オンとオフを小刻みに繰り返す循環ポンプ２のオフ時に塩溶解槽１９内の比重の大きい食塩水が塩溶解槽１９から開となった弁１８を経て上流側に逆流することがなく、したがって、食塩が無駄に消費されて、塩溶解槽１９内の食塩の無駄な消費を防止することができるものである。
【０００７】
また、外筒１９ａに食塩筒１９ｂを挿入して内装することで塩溶解槽１９を構成し、食塩筒１９ｂの底面部にばね材３１で下方に弾性付勢された弁体２７よりなる逆止弁２５を設け、外筒１９ａから食塩筒１９ｂを取り外した状態で外筒１９ａに設けた連通口３２を開とすると共に外筒１９ａ内に食塩筒１９ｂをセットした状態でばね材３１のばね力で弁体２７により連通口３２を閉じるように設定し、上記塩溶解槽１９よりも上流側に設けた弁１８が開状態において循環ポンプ２のオンにより加圧された水によりばね材３１に抗して弁体２７を押し上げて連通口３２を開とし、循環ポンプのオフによりばね材３１のばね力で弁体２７により連通口３２を閉じるように設定してあるので、食塩筒１９ｂを塩溶解槽１９の外筒１９ａにセットしてない状態では塩溶解槽１９内の水を排出して、塩を補充した食塩筒１９ｂを塩溶解槽１９にセットする際に塩溶解槽１９の上開口から水があふれ出ないようにできるものである。
【０００８】
また、本発明の殺菌装置を備えた浴槽水循環浄化装置は、浴槽水を循環水路１に循環させる循環ポンプ２と、浴槽水をろ過するろ過槽３とを備え、循環水路１のろ過槽３よりも上流側にバイパス路４を設け、バイパス路４の途中を第１分岐路１６と第２分岐路１７とに分岐し、第１分岐路１６に電解槽６を設け、第２分岐路１７に塩溶解槽１９を設け、第２分岐路１７の下流側の端部を電解槽６に連通接続し、第１分岐路１６の下流側を循環水路１のろ過槽３よりも上流側に連通接続し、塩溶解槽１９から電解槽６に食塩水を供給する際に開となり且つ塩溶解槽１９から供給された食塩水を電解槽６内で電解して生成された塩素水をろ過槽３を経て吐出口９から吐出する際には閉となる弁１８を第２分岐路１７の塩溶解槽１９よりも上流側に設け、上記弁１８が開状態において循環ポンプ２のオン、オフを小刻みに繰り返して塩溶解槽１９から電解槽６に食塩水を供給する際、開となった弁１８を経て第２分岐路１７から塩溶解槽１９への水の流入を可とし且つ塩溶解槽１９から開となった弁１８を経て第２分岐路１７に水が逆流するのを防止するための逆止弁２５を第２分岐路１７の塩溶解槽１９への連通口３２に配置して成ることを特徴とするものである。このような構成とすることで、浴槽１０の浴槽水を循環水路２を循環させてろ過槽３により浄化して浴槽１０に返送することで浴槽水の浄化ができて長期間にわたって浴槽水を入れ替えることなく使用できるのみならず、このように長期間浴槽水を入れ替えることなく使用できるようにしたものにおいて、塩溶解槽１９から食塩水を電解槽６に供給し、電解槽６で電解して塩素水を生成し、この塩素水をろ過槽３を経て吐出口９から浴槽１０に吐出することで、ろ過槽３、配管、浴槽内の浴槽水を塩素水で殺菌することができるものである。そして、塩溶解槽１９から電解槽６に食塩水を供給して電解槽６内を所定の塩濃度にするに当たり、弁１８を開にした状態で循環ポンプ２のオン、オフを小刻みに繰り返しても、上記オンとオフを小刻みに繰り返す循環ポンプ２のオフ時に塩溶解槽１９内の比重の大きい食塩水が塩溶解槽１９から開となった弁１８を経て上流側に逆流することがなく、したがって、塩溶解槽１９内の食塩の無駄な消費を防止することができるものである。
【０００９】
【発明の実施の形態】
以下、本発明を添付図面に示す実施形態に基づいて説明する。
【００１０】
図１には本発明の装置の殺菌装置の配管構成図が示してある。循環水路１は一端に吸い込み口８を設けると共に他端に吐出口９を設けてある。上記吸い込み口８と吐出口９とは殺菌しようとする水中に浸漬させてある。殺菌しようとする対象の水としては例えば浴槽１０内の浴槽水が考えられるが、浴槽水以外の液体中に浸漬して該液体の殺菌にも使用できるのはもちろんである。
【００１１】
循環水路１には循環ポンプ２が設けてあり、更に、循環水路１の循環ポンプ２よりも下流側の途中が第１分岐路１６と第２分岐路１７とに分岐してある。第１分岐路１６には上流側から下流側にかけて順に弁７、電解槽６を設けてあり、第２分岐路１７には上流側から下流側にかけて順に弁１８、塩溶解槽１９を設けてある。第２分岐路１７の下流側の端部が電解槽６に連通接続してある。第２分岐路１７の塩溶解槽１９と電解槽６との間の部分の流路は、塩溶解槽１９の上部の上出口２８ａと電解槽６の上端部とを連通する流路１７ａと、塩溶解槽１９の下部の下出口２８ｂから導出されて上記流路１７ａに合流する流路１７ｂとで構成してある。
【００１２】
塩溶解槽１９は外筒１９ａと、外筒１９ａの上開口から食塩を収納した食塩筒１９ｂを外筒１９ａ内に挿入して内装することで構成してある。食塩筒１９ｂを外筒１９ａ内に内装してセットした場合、食塩筒１９ｂに付設した又は別体の蓋部１９ｃにより外筒１９ａの上開口を閉じるようになっている。食塩筒１９ｂの底面部には逆止弁２５が設けてある。この逆止弁２５は、図７（ａ）に示すように、食塩筒１９ｂの底面部に設けた凹所２６内に上下移動自在に弁体２７の上部をはめ込んであり、この弁体２７に設けたストッパ部２９ａを凹所２６に設けた被ストッパ部２９ｂに係止自在として上下移動自在な弁体２７が凹所２６から下方に脱落しないようになっている。また、弁体２７と凹所２６の上面との間にはばね材３１が介在してあって弁体２７を常時下方に向けて弾性付勢している。したがって、外筒１９ａ内に食塩筒１９ｂを内装してセットした場合、弁体２７の下端部が外筒１９ａの底面部に設けた第２分岐路１７の外筒１９ａへの連通口３２を閉じるようになっている。そして、弁１８を開にした状態で、第２分岐路１７の上流側から循環ポンプ２により水が加圧されて供給された場合には図７（ｂ）に示すように弁体２７をばね材３１に抗して水圧により押し上げて水が塩溶解槽１９内に流入できるが、弁１８を開にした状態で、循環ポンプ２がオフの時には弁体２７が連通口３２をばね材３１のばね力により閉じて塩溶解槽１９内の水よりも比重の大きい食塩水が弁１８を開にした第２分岐路１７の上流側に流出するのが防止されるようになっている。このように、逆止弁２５は塩溶解槽１９内に食塩を入れた食塩筒１９ｂを内装した際にのみ逆止弁２５として機能するようになっている。
【００１３】
電解槽６は一対の不溶性電極板よりなる電極５を隔膜を介することなく対向配置した無隔膜タイプのものとして形成してある。ここで、電極５を構成する電極板の形状は電解槽６の下方まで達する長方形である。電極５には直流電圧が印加されるようになっており、電極５への電圧の印加は制御部２０の制御により行われる。塩溶液には塩素イオン（Ｃｌ−）が含まれているが、電解槽６で電極５に直流電圧を印加して塩素イオン（Ｃｌ−）の一部を電気分解すると、塩素イオン（Ｃｌ−）は塩素（Ｃｌ２）や次亜塩素酸イオン（ＣｌＯ−）に交換され、浴槽水に殺菌力を持たせることができるようになっている。
【００１４】
図２には上記殺菌装置の制御ブロック図が示してあり、操作部材３１を操作することで制御部２０により循環ポンプ２の運転の制御、弁７、１８の開閉の制御、電極５への電圧の印可の制御を行うようになっている。
【００１５】
しかして、塩溶解槽１９から電解槽６への食塩水の供給に当たっては、弁１８を開にして循環ポンプ２を運転して塩溶解槽１９内の食塩水を電解槽６に供給する。ここで、塩溶解槽１９から電解槽６に食塩水を供給して電解槽６内を所定の塩濃度にするに当たり、弁１８を開にした状態で循環ポンプ２のオン、オフを小刻みに繰り返しながら（つまり循環ポンプ２を寸動させながら）塩溶解槽１９内の食塩水を電解槽６に少しずつ供給し、この際、電解槽６内に設けた一対の電極５間の電気伝導度を測定しながら電解槽６内の塩濃度を測定し、目的とする塩濃度となると循環ポンプ２を停止すると共に弁１８を閉じるのであるが、上記オンとオフを小刻みに繰り返す循環ポンプ２のオフ時に塩溶解槽１９内の比重の大きい食塩水が塩溶解槽１９から開となった弁１８を経て上流側に逆流しようとする。ところが、本発明においては、上記塩溶解槽１９から電解槽６に食塩水を供給する際、開となった弁１８を経て第２分岐路１７から塩溶解槽１９への水の流入を可とし且つ塩溶解槽１９から開となった弁１８を経て第２分岐路１７に水が逆流するのを防止するための逆止弁２５を設けてあるので、塩溶解槽６から上流側に水よりも比重の大きい食塩水が比重差により流れ出るのが防止され、塩溶解槽１９内の食塩の無駄な消費を防止することができるものである。
【００１６】
上記塩溶解槽１９から電解槽６に食塩水を供給する際、弁７は閉又は開である。
【００１７】
上記のようにして、電解槽６内の食塩濃度が所定の濃度となると、弁１８、弁７を閉とし、電極５に電圧を印可する。ここで、塩溶液には塩素イオン（Ｃｌ−）が含まれているが、電解槽６で電極５に直流電圧を印加して塩素イオン（Ｃｌ−）の一部を電気分解すると、塩素イオン（Ｃｌ−）は塩素（Ｃｌ２）や次亜塩素酸イオン（ＣｌＯ−）に交換されて塩素水を生成し、この塩素水は殺菌力を有することになる。このようにして電解槽６において塩素水を生成した後、弁１８を閉、弁７を開にした状態で循環ポンプ２を運転して電解槽６内の塩素水を循環水路１の吐出口９から浴槽１０などの殺菌しようとする液体を入れた槽内に吐出して、該槽内の液体を殺菌するものである。
【００１８】
塩溶解槽１９内における食塩が減少すると、操作部３０に設けた運転スイッチを停止して食塩筒１９ｂを外筒１９ａから取り外して食塩筒１９ｂ内に食塩を補充するものである。運転スイッチを停止すると弁１８が開となり、食塩筒１９ｂを取り外すことで逆止弁２５が機能しない状態となって図７（ｃ）のように連通口３２が開放され、塩溶解槽１９内に溜まっている水が外筒１９ａの底面部の開口から弁１８を介して上流側に排出される。これにより、新たに食塩を補充した食塩筒１９を外筒１９ａ内に入れる際に、外筒１９ａの上開口から水が溢れ出ることがないものである。
【００１９】
なお、図３には本発明の殺菌装置の他の実施形態が示してある。本実施形態における殺菌装置は図１に示す殺菌装置と基本的な構造は同じであり、第２分岐路１７の流路１７ａの流路１７ｂと合流する位置よりも下流側に塩溶解槽１９から電解槽６にのみ水が流れる方向性を有する逆止弁１１を設けた構成が図１のものと異なる。本実施形態のように、第２分岐路１７の流路１７ａの流路１７ｂと合流する位置よりも下流側に塩溶解槽１９から電解槽６にのみ水が流れる方向性を有する逆止弁１１を設けておくと、循環ポンプ２が運転して塩素水を供給している時に水圧で電解槽６から塩溶解槽１９に水が逆流するのを逆止弁１１により防止して塩溶解槽１９の水位が上昇するのを防止し、循環ポンプ２を停止しても塩溶解槽１９から水位が上昇した分の食塩水が電解槽６に流入しないようになっていて過剰な塩の消費を抑えるようになっている。
【００２０】
次に、殺菌装置を備えた浴槽水循環浄化装置について説明する。
【００２１】
図４には殺菌装置を備えた浴槽水循環浄化装置の配管構成図の一実施形態が示してある。循環水路１は一端に吸い込み口８を設けると共に他端に吐出口９を設けてあり、上記吸い込み口８と吐出口９とが浴槽１０内の浴槽水中に浸漬させてある。
【００２２】
循環水路１には上流側から下流側にかけて順に循環ポンプ２、ヒータ１２、弁１３が設けてあり、また、循環水路１は循環ポンプ２よりも下流側で通水水路１ａと浄化水路１ｂとの２つの水路に分岐し、この通水水路１ａと浄化水路１ｂはヒータ１２の上流側において再び合流している。なお、通水水路１ａにヒータ１２を設け、浄化水路１ｂをヒータ１２よりも下流側で合流させるようにしてもよいものである。
【００２３】
循環水路１の一部を構成する浄化水路１ｂにはろ過槽３が設けてあり、浄化水路１ｂのろ過槽３よりも上流側に弁１４が設けてあり、また、浄化水路１ｂのろ過槽３よりも下流側に弁１５が設けてある。
【００２４】
浄化水路１ｂの弁１４よりも上流側又は通水水路１ａのヒータ１２よりも上流側にバイパス路４の一端部が接続してあり、バイパス路４の他端部が浄化水路１ｂの弁１４とろ過槽３との間に接続してある。このバイパス路４の途中は第１分岐路１６と第２分岐路１７とに分岐しており、第１分岐路１６には上流側から下流側にかけて順に弁７、電解槽６が設けてある。また、第２分岐路１７は上流側から下流側にかけて順に弁１８、塩溶解槽１９が設けてあり、第２分岐路１７の下流側の端部が電解槽６に連通接続してある。第２分岐路１７の塩溶解槽１９と電解槽６との間の部分の流路は塩溶解槽１９の上部の上出口２８ａから導出された流路１７ａと塩溶解槽１９の下部の下出口２８ｂから導出されて上記流路１７ａに合流する流路１７ｂとで構成してある。
【００２５】
塩溶解槽１９は図１に示す殺菌装置と同じ構成となっており、また、図１に示す殺菌装置と同様に塩溶解槽１９から電解槽６に食塩水を供給する際、開となった弁１８を経て第２分岐路１７から塩溶解槽１９への水の流入を可とし且つ塩溶解槽１９から開となった弁１８を経て第２分岐路１７に水が逆流するのを防止するための逆止弁２５を設けてある。塩溶解槽１９、逆止弁２５の具体的構成については前述の通りであるので詳細な説明は省略する。
【００２６】
塩溶解槽１９には食塩が収納される。また、電解槽６は一対の不溶性電極板よりなる電極５を隔膜を介することなく対向配置した無隔膜タイプのものとして形成してある。ここで、電極５を構成する電極板の形状は電解槽６の下方まで達する長方形である。電極５には直流電圧が印加されるようになっており、電極５への電圧の印加は制御部２０の制御により行われる。塩溶液には塩素イオン（Ｃｌ−）が含まれているが、電解槽６で電極５に直流電圧を印加して塩素イオン（Ｃｌ−）の一部を電気分解すると、塩素イオン（Ｃｌ−）は塩素（Ｃｌ２）や次亜塩素酸イオン（ＣｌＯ−）に交換され、浴槽水に殺菌力を持たせることができるようになっている。
【００２７】
ろ過槽３内には中空糸膜のような精密ろ過材よりなるろ材３ａが設けてある。ろ過槽３内には浄化水路１ｂから供給される浴槽水の噴出口２１が設けてあり、この噴出口２１から噴出水がろ材３ａの上流側の面に向けて噴出するようになっている。
【００２８】
上記のような構成の殺菌装置を備えた浴槽水循環浄化装置は「通常循環」モード、「食塩水供給」モード、「電解」モード、「塩素水供給」モード等の諸モードを切り替えて運転することができるようになっている。これらのモード切り換えによる各弁の切り換え、循環ポンプ２の運転は制御部２０による制御により行われるものである。また、電解時における電極５への電圧の印加も制御部２０による制御により行われる。
【００２９】
ここで、本発明の浴槽水循環浄化装置は通常循環運転時には、弁１３、弁１４、弁１５をいずれも開、弁１８、弁７をいずれも閉にして循環ポンプ２を運転するように制御されるものであり、この場合、循環ポンプ２の運転により吸い込み口８から循環水路１に吸い込まれた浴槽水の一部がろ過槽３を通過する際にろ材３ａによりろ過されて浄化され、ヒータ１２で加温されて、吐出口９から浴槽１０中に返送されるものである（これが「通常循環モード」である）。ここで、循環水路１は循環ポンプ２よりも下流側で通水水路１ａと浄化水路１ｂとの２つの水路に分岐しているので、浄化水路１ｂ中に設けたろ過槽３内のろ材３ａが目詰まりして浄化水路１ｂを流れる水量が減っても、この場合には通水水路１ａを流れる水量が増えることで、循環水路１全体を流れる浴槽水の水量は変わらず、ヒータ１２による加温された浴槽水の返送により浴槽１０内における浴槽水の温度低下を防いでいる。
【００３０】
殺菌（または制菌）運転に当っては、「食塩水供給」モード→「電解」モード→「塩素水供給」モードの順で運転するものである。すなわち、弁１３、弁１４、弁１５、弁１８をいずれも開、弁７を閉にした状態で循環ポンプ２を運転することで、塩溶解槽１９から食塩水が電解槽６に供給される（これが「食塩水供給」モードである）。この「食塩水供給」モードにおいて、塩溶解槽１９から電解槽６に食塩水を供給して電解槽６内を所定の塩濃度にするに当たっては、弁１８を開にした状態で循環ポンプ２のオン、オフを小刻みに繰り返しながら（つまり循環ポンプ２を寸動させながら）塩溶解槽１９内の食塩水を電解槽６に少しずつ供給し、この際、電解槽６内に設けた一対の電極５間の電気伝導度を測定しながら電解槽６内の塩濃度を測定し、目的とする塩濃度となると循環ポンプ２を停止すると共に弁１８を閉じるのであるが、上記オンとオフを小刻みに繰り返す循環ポンプ２のオフ時に塩溶解槽１９内の比重の大きい食塩水が塩溶解槽１９から開となった弁１８を経て上流側に逆流しようとする。ところが、本発明においては、上記塩溶解槽１９から電解槽６に食塩水を供給する際、開となった弁１８を経て第２分岐路１７から塩溶解槽１９への水の流入を可とし且つ塩溶解槽１９から開となった弁１８を経て第２分岐路１７に水が逆流するのを防止するための逆止弁２５を設けてあるので、塩溶解槽６から上流側に水よりも比重の大きい食塩水が比重差により流れ出るのが防止され、塩溶解槽１９内の食塩の無駄な消費を防止することができるものである。
【００３１】
上記のようにして、電解槽６に食塩水を供給した後、弁１３、弁１４、弁１５をいずれも開、弁１８、弁７をいずれも閉とした状態で電極５に電圧を印加して電気分解することで、塩素を発生させる（これが「電解」モードである）。この場合循環ポンプ２は運転しておく。次に、弁１３、弁１４、弁１５、弁７をいずれも開、弁１８を閉とし、この状態で循環ポンプ２を運転すると電解槽６内の塩素水がろ過槽３に供給され、ろ材３ａを通過して浴槽水と一緒に浴槽１０に流れ込む（これが「塩素水供給」モードである）。このように塩素水を循環水路１に流すことで、浴槽水や装置内の病原性細菌を抑制し、不快感を与えるヌメリを取り除くものである。なお、食塩水供給に当っては弁１３、弁１４、弁１５をいずれも開、弁７を閉にした状態で循環ポンプ２を運転しながら、弁１８の開閉を繰り返し制御しながら電解槽６内の塩濃度が一定濃度となるようにしてもよい。
【００３２】
また、塩溶解槽１９内における食塩が減少した場合、運転スイッチを停止して食塩筒１９ｂを外筒１９ａから取り外して食塩筒１９ｂ内に食塩を補充するものである。ここで、運転スイッチを停止すると弁１８が開となり、食塩筒１９ｂを取り外すことで逆止弁２５が機能しない状態となって図７（ｃ）のように連通口３２が開放され、塩溶解槽１９内に溜まっている水が外筒１９ａの底面部の開口から弁１８を介して上流側に排出される。これにより、新たに食塩を補充した食塩筒１９を外筒１９ａ内に入れる際に、外筒１９ａの上開口から水が溢れ出ることがないものである。
【００３３】
図５には本発明の殺菌装置を備えた浴槽水循環浄化装置の他の実施形態が示してある。本実施形態においては、殺菌装置を備えた浴槽水循環浄化装置は図４に示すものと基本的な構造は同じであり、第２分岐路１７の流路１７ａの流路１７ｂと合流する位置よりも下流側に塩溶解槽１９から電解槽６にのみ水が流れる方向性を有する逆止弁１１を設けた構成が図４のものと異なる。本実施形態のように、第２分岐路１７の流路１７ａの流路１７ｂと合流する位置よりも下流側に塩溶解槽１９から電解槽６にのみ水が流れる方向性を有する逆止弁１１を設けておくと、循環ポンプ２が運転しているときに水圧で電解槽６から塩溶解槽１９に水が逆流して塩溶解槽１９の水位が上昇しようとしても逆止弁１１により阻止されるものである。これにより、塩溶解槽１９内の水位が所定水位よりも余分に上昇し、この余分に上昇した分の食塩水が循環ポンプ２の運転停止により圧力が解除されることで塩溶解槽１９から電解槽６に食塩水が流入するというような現象を防止することができるようになっている。つまり、循環ポンプ２のオン、オフや流路の変更時に、呼吸作用により塩溶解槽１９から電解槽６に食塩水が流入することがないものである。したがって、電解時に食塩濃度の制御ができなくなったり、塩溶解槽１９内の食塩の消費が速くなってしまうことをなくすことが可能となるものである。
【００３４】
図６（ａ）は循環ポンプ２の停止状態における塩溶解槽１９内の水位を示しており、図６（ｂ）は循環ポンプ２を運転している場合における塩溶解槽１９内の水位を示しており、図６（ｃ）は循環ポンプ２運転後に循環ポンプ２の運転をオフした場合における塩溶解槽１９内の水位を示しており、図６（ａ）（ｂ）（ｃ）のいずれの場合にも塩溶解槽１９内の水位Ｗ１は同じである。
【００３５】
また、本実施形態においても隔壁２６を設けることで、塩溶解槽１９側の配管のうち逆止弁１１と連通口２５との間の配管に電解槽６から電解により発生した酸素ガスや水素ガスが流入して該配管中に残っている食塩水と入れ替わって電解槽６側に流れ込まないようになっている。
【００３６】
【発明の効果】
上記の請求項１記載の本発明にあっては、塩溶解槽から電解槽に食塩水を供給する際に開となり、塩溶解槽から供給された食塩水を電解槽内で電解して生成された塩素水を吐出口から吐出する際には閉となる弁を第２分岐路の塩溶解槽よりも上流側に設け、上記弁が開状態において循環ポンプのオン、オフを小刻みに繰り返して塩溶解槽から電解槽に食塩水を供給する際、開となった弁を経て第２分岐路から塩溶解槽への水の流入を可とし且つ塩溶解槽から開となった弁を経て第２分岐路に水が逆流するのを防止するための逆止弁を第２分岐路の塩溶解槽への連通口に配置してあるので、塩溶解槽から電解槽に食塩水を供給して電解槽内を所定の塩濃度にするに当たり、弁を開にした状態で循環ポンプのオン、オフを小刻みに繰り返しても、上記オンとオフを小刻みに繰り返す循環ポンプのオフ時に塩溶解槽内の比重の大きい食塩水が塩溶解槽から開となった弁を経て上流側に逆流するのを逆止弁により防止することができ、この結果、塩溶解槽内の食塩の無駄な消費を防止することができ、コストを低減できるものである。
【００３７】
また、請求項２記載の発明にあっては、上記請求項１記載の発明の効果に加えて、外筒に食塩筒を挿入して内装することで塩溶解槽を構成し、食塩筒の底面部にばね材で下方に弾性付勢された弁体よりなる逆止弁を設け、外筒から食塩筒を取り外した状態で外筒に設けた連通口を開とすると共に外筒内に食塩筒をセットした状態でばね材のばね力で弁体により連通口を閉じるように設定し、上記塩溶解槽よりも上流側に設けた弁が開状態において循環ポンプのオンにより加圧された水によりばね材に抗して弁体を押し上げて連通口を開とし、循環ポンプのオフによりばね材のばね力で弁体により連通口を閉じるように設定してあるので、食塩が不足して補充をする際に、塩溶解槽から食塩筒を取り出すことで、逆止弁が機能しないようにして塩溶解槽内に残っている残水を排水でき、これにより食塩を補充した食塩筒をセットする際に塩溶解槽の外に水が溢れ出ることがないものである。
【００３８】
また、請求項３記載の発明にあっては、浴槽水を循環水路に循環させる循環ポンプと、浴槽水をろ過するろ過槽とを備え、循環水路のろ過槽よりも上流側にバイパス路を設け、バイパス路の途中を第１分岐路と第２分岐路とに分岐し、第１分岐路に電解槽を設け、第２分岐路に塩溶解槽を設け、第２分岐路の下流側の端部を電解槽に連通接続し、第１分岐路の下流側を循環水路のろ過槽よりも上流側に連通接続し、塩溶解槽から電解槽に食塩水を供給する際に開となり且つ塩溶解槽から供給された食塩水を電解槽内で電解して生成された塩素水をろ過槽を経て吐出口から吐出する際には閉となる弁を第２分岐路の塩溶解槽よりも上流側に設けてあるので、浴槽の浴槽水を循環水路を循環させてろ過槽により浄化して浴槽に返送することで浴槽水の浄化ができて長期間にわたって浴槽水を入れ替えることなく使用できるのみならず、長期間浴槽水を入れ替えることなく使用できるようにしたものにおいて、塩溶解槽から食塩水を電解槽に供給し、電解槽で電解して塩素水を生成し、この塩素水をろ過槽を経て吐出口から浴槽に吐出することで、ろ過槽、配管、浴槽内の浴槽水を塩素水で殺菌することができ、しかも、上記弁が開状態において循環ポンプのオン、オフを小刻みに繰り返して塩溶解槽から電解槽に食塩水を供給する際、開となった弁を経て第２分岐路から塩溶解槽への水の流入を可とし且つ塩溶解槽から開となった弁を経て第２分岐路に水が逆流するのを防止するための逆止弁を第２分岐路の塩溶解槽への連通口に配置してあるので、塩溶解槽から電解槽に食塩水を供給して電解槽内を所定の塩濃度にするに当たり、弁を開にした状態で循環ポンプのオン、オフを小刻みに繰り返しても、上記オンとオフを小刻みに繰り返す循環ポンプのオフ時に塩溶解槽内の比重の大きい食塩水が塩溶解槽から開となった弁を経て上流側に逆流するのを逆止弁により防止することができ、この結果、塩溶解槽内の食塩の無駄な消費を防止することができ、コストを低減できるものである。
【００３９】
また、請求項４記載の発明にあっては、上記請求項３記載の発明の効果に加えて、外筒に食塩筒を挿入して内装することで塩溶解槽を構成し、食塩筒の底面部にばね材で下方に弾性付勢された弁体よりなる逆止弁を設け、外筒から食塩筒を取り外した状態で外筒に設けた連通口を開とすると共に外筒内に食塩筒をセットした状態でばね材のばね力で弁体により連通口を閉じるように設定し、上記塩溶解槽よりも上流側に設けた弁が開状態において循環ポンプのオンにより加圧された水によりばね材に抗して弁体を押し上げて連通口を開とし、循環ポンプのオフによりばね材のばね力で弁体により連通口を閉じるように設定してあるので、食塩が不足して補充をする際に、塩溶解槽から食塩筒を取り出すことで、逆止弁が機能しないようにして塩溶解槽内に残っている残水を排水でき、これにより食塩を補充した食塩筒をセットする際に塩溶解槽の外に水が溢れ出ることがないものである。
【図面の簡単な説明】
【図１】本発明の殺菌装置の配管構成図である。
【図２】同上の制御ブロック図である。
【図３】同上の殺菌装置の他の実施形態の配管構成図である。
【図４】本発明の殺菌装置を備えた浴槽水循環浄化装置の配管構成図である。
【図５】同上の殺菌装置を備えた浴槽水循環浄化装置の他の実施形態の配管構成図である。
【図６】（ａ）は循環ポンプを停止している場合における塩溶解槽内の水位を示す説明図であり、（ｂ）は循環ポンプを運転している場合における塩溶解槽内の水位を示す説明図であり、（ｃ）は循環ポンプ運転後に循環ポンプの運転をオフした場合における塩溶解槽内の水位を示す説明図である。
【図７】（ａ）（ｂ）はそれぞれ本発明において食塩筒を外筒内にセットした状態を示す説明図であり、（ｃ）は外筒から食塩筒を取り外した状態を示す説明図である。
【図８】従来例の配管構成図である。
【符号の説明】
１  循環水路
２  循環ポンプ
３  ろ過槽
４  バイパス路
５  電極
６  電解槽
７  弁
１０  浴槽
１６  第１分岐路
１７  第２分岐路
１８  弁
１９  塩溶解槽
２５  逆止弁
【図１】
0003584765.tif 000002
【図２】
0003584765.tif 000003
【図３】
0003584765.tif 000004
【図４】
0003584765.tif 000005
【図５】
0003584765.tif 000006
【図６】
0003584765.tif 000007
【図７】
0003584765.tif 000008
【図８】
0003584765.tif 000009